(57)【要約】【課題】常時一体型の移動用アダプタには縦装着型と横縦装着型とで一長一短があるところ、双方の利点を兼ね備えた移動用アダプタを実現する。【解決手段】移動用アダプタ７０８０を、小形リレー装着用の第１アダプタ７０と、大形ジャック板に着脱させる第２アダプタ８０とに分ける。第２アダプタ８０は、大形ジャック板２０の留め部材２４に係合する第１留め座部８１と、その係合時に留め部材２４とジャック部２２との中間に位置する第２留め座部８４とを備える。第１アダプタ７０は、大形ジャック板２０のリレー装着側を囲う箱体７１と、大形ジャック板２０のジャック部２２に対応したプラグ部７３と、小形リレー３０のプラグ部３３に対応したジャック部７５とに加え、第２アダプタ８０の第２留め座部８４に対応した留め部材７２を備える。【選択図】        図１
2020030896.tif 000002
【特許請求の範囲】
【請求項１】
小形リレーを装着しうる第１アダプタと、前記小形リレーより大きな大形リレーを装着しうる大形ジャック板に対して着脱しうる第２アダプタとを備え、前記第１アダプタを前記第２アダプタに着脱しうる移動用アダプタであって、
前記第１アダプタが、開口側を前記大形ジャック板に当接させると前記大形ジャック板のリレー装着側を囲う箱体と、前記箱体に内装されていて前記の当接に随伴して前記大形ジャック板のジャック部と連結するプラグ部と、前記箱体の非開口側のうち前記プラグ部の直近部位から外れた部位に貫装されて前記小形リレーの装着側を箱外に向けているジャック部と、このジャック部と前記プラグ部とに亘る配線部と、前記箱体を前記第２アダプタに固定するための留め部材とを具備したものであり、
前記第２アダプタが、前記大形ジャック板の前記留め部材に対して係合しうる第１留め座部と、前記第１アダプタの前記留め部材に対して係合しうる第２留め座部とを具備したものであり、
前記第２アダプタの前記第１留め座部と前記大形ジャック板の前記留め部材とを係合させてから前記箱体を開口側から前記大形ジャック板に当接させると前記第２アダプタが前記箱体の内部に収まるとともに前記第１アダプタの前記留め部材と前記第２アダプタの前記第２留め座部とが係合させうる状態で対向するようになっていることを特徴とする移動用アダプタ。
【請求項２】
前記第２アダプタが、前記第１留め座部と前記第２留め座部との組を複数具備するとともに、それら全組に及ぶ連結部も具備していることを特徴とする請求項１記載の移動用アダプタ。
【請求項３】
前記第１アダプタの前記ジャック部が、前記小形リレーに対応した小形ジャック板であり、前記第１アダプタの前記プラグ部が、前記大形リレーのプラグ部と同じか互換性を持ったものであることを特徴とする請求項１又は請求項２に記載された移動用アダプタ。
【請求項４】
前記第１アダプタの前記箱体に把手が外装されていることを特徴とする請求項１乃至請求項３の何れかに記載された移動用アダプタ。
【請求項５】
前記配線部が、硬い又は軟らかいプリント回路基板にて形成されたものであることを特徴とする請求項１乃至請求項４の何れかに記載された移動用アダプタ。
【発明の詳細な説明】
【技術分野】
【０００１】
この発明は、鉄道の軌道回路など鉄道電気設備に用いられるリレーとジャック板とに介装される移動用アダプタに関し、詳しくは、軌道リレー等の大形リレーを装着するのに用いられるＣ形ジャック板などの大形ジャック板に対して信号制御用Ａ形線条リレー等の小形リレーを装着するに際して両者間に介装される移動用アダプタに関する。
更に詳しくは、リレーや留め部材といった介装に係る部材の装備位置を従来の装備位置から新たな装備位置へ移動させる移動用アダプタに関するものであって、装着時の装備位置について従来品に係る位置と発明品に係る位置とには相違（位置移動）があるが、装備完了後に各部材の位置などが自力や他力で移動するというものではない。
【背景技術】
【０００２】
図５に外観を示した大形リレー１０は、鉄道の軌道回路に従前から用いられてきた交流軌道リレーであり（例えば非特許文献１参照）、電磁リレー本体を収納している箱体１１の頭部には（図５（ａ），（ｂ）参照）、把手１５が装備されるとともに、留め部材１３の頭部が突き出ている。その留め部材１３の雄ネジ部１３ａは（図５（ａ）参照）、底部へ向かって伸びているが、箱体１１の内部に収まっている。また、箱体１１の底部には（図５（ｃ）参照）、プラグ部１２のピン側が露出するとともに、上述の雄ネジ部１３ａを臨む貫通孔１４が形成されている。
【０００３】
図６（ａ），（ｂ）に外観を示した大形ジャック板２０は、やはり鉄道の軌道回路に従前から用いられてきたＣ形ジャック板であり、リレー架の縦の盤面などに取り付けられる基板部２１と、基板部２１に貫通状態で装備されたジャック部２２と、ジャック部２２のリレー装着側２３と同じ向きへ基板部２１から突き出た留め部材２４とを具備している。大形ジャック板２０は、上述した大形リレー１０を着脱可能に保持するためのものなので、基板部２１の外形が、概ね正方形で（図６（ｂ）参照）、大形リレー１０の箱体１１の底部の外形に対応している（図５（ｃ）参照）。また（図６（ｂ），５（ｃ）参照）、留め部材２４の位置が大形リレー１０の貫通孔１４の位置に対応しており、ジャック部２２のリレー装着側２３が大形リレー１０のプラグ部１２に対して結合可能になっている。
【０００４】
継電連動装置などのリレー架では、その縦の盤面などに多数の大形リレー１０を保守等容易に設置するために、予め大形ジャック板２０が二次元配列状の配置で取り付けられるとともに（図６（ｃ）参照）、縦盤面を貫いてその裏へ突き出たジャック部２２の各端子には軌道や電源に至る電線が接続される。
そして、リレー架の大形ジャック板２０に大形リレー１０を装着するときには、先ず、ジャック部２２のリレー装着側２３にプラグ部１２を対向させる姿勢で、大形リレー１０を大形ジャック板２０に当接させる。そうすると、プラグ部１２とジャック部２２とが各端子毎に接触し導通する。それから更に、留め部材１３を操作して雄ネジ部１３ａを留め部材２４にねじ込むと、大形リレー１０が大形ジャック板２０に固定される。
【０００５】
ところで、六つの軌道回路を一つの送信器に集約する「軌道回路のＳＭＥＴ化」（例えば特許文献１参照）といった改良により、軌道回路の出力を司るリレーが、上述の大形リレー１０から、小形リレー３０（例えば特許文献１の図１のリレーＴＲやその出力を中継するリレー等）に変更されつつある。小形リレー３０には、信号リレー等に用いられて実績も信頼もある線条リレーが使い易く（例えば非特許文献２参照）、小形リレー３０のサイズは、大形リレー１０の半分ほどで、小さい。
この小形リレー３０は（図７参照）、電磁リレー本体を収納している箱体３１の頭部に（図７（ａ），（ｂ）参照）、３個のカバー留め部材３２が装備されてその頭部が箱体３１から突き出ている。一方、留め部材３２のネジ部３２ａは、箱体３１の内部を通って箱体３１の底部に至っていて底部を箱体３１に固定している（図７（ａ）参照）。箱体３１の底部には（図７（ｃ）参照）、プラグ部３３の片面が露出しており、その直ぐ脇であって底部の中央寄りに位置する部位には雌ネジのリレー留め部３４が形成されており、底部の周縁部には位置決め孔３５が三つほど穿孔形成されている。
【０００６】
図８に外観を示した小形ジャック板４０は、やはり鉄道の継電連動装置などに従前から用いられてきたＡ形ジャック板であり（例えば非特許文献２参照）、やはりリレー架の縦の盤面などに取り付けられる基板部４１と（図８参照）、基板部４１に貫通状態で装備されたジャック部４２と（図８（ａ），（ｃ）参照）、ジャック部４２のリレー装着側４３と同じ向きへ基板部４１から突き出た三つの位置決めピン４４と一つの留め部材４５とを具備している（図８（ａ），（ｂ）参照）。留め部材４５には雄ねじが形成されており、留め部材４５はそれを軸回転操作するための連結ネジ操作部４６と一体のものであるが、連結ネジ操作部４６は基板部４１のリレー装着側４３でなく反対側のリレー架への取り付け側へ突き出ている（図８（ａ），（ｃ）参照）。また、小形ジャック板４０は、上述した小形リレー３０を着脱可能に保持するためのものなので、基板部４１の外形が、小形リレー３０の箱体３１の底部の外形に対応しており（図７（ｃ）参照）、略長方形になっている（図８（ｂ），（ｃ）参照）。しかも、縦幅が横幅の概ね半分しかなく、細長い。また、小形ジャック板４０は、留め部材４５の位置が小形リレー３０のリレー留め部３４の位置に対応しており（図８（ｂ），７（ｃ）参照）、ジャック部４２のリレー装着側４３が小形リレー３０のプラグ部３３に対して結合可能になっている。
【０００７】
そして、小形ジャック板４０対応の小形リレー３０を大形リレー１０対応の大形ジャック板２０に対して装着する際には、小形リレー３０を横長の姿勢でなく縦長の姿勢にして大形ジャック板２０の頭部の中央に載せると（図９（ａ）参照）、留め部材２４が小形リレー３０によって隠されることなく小形リレー３０の両側に位置するので、先ず大形ジャック板２０の上に移動用アダプタ５０を載せてから留め部材５２にて留め部材２４にネジ止めし（図９（ｂ）参照）、次いでその上に小形リレー３０を装着することができる（図９（ｃ）参照）。また、予め移動用アダプタ５０に小形リレー３０を装着しておき、それを恰も大形リレー１０の如く大形ジャック板２０に装着することもできる。
【０００８】
このような移動用アダプタ５０は公知の手法によって具現化可能であるが（例えば特許文献２参照）、この構成では（図９参照）、大形ジャック板２０のジャック部２２のリレー装着側２３の上方に（図９（ａ）参照）、移動用アダプタ５０のジャック部５１が来る（図９（ｂ）参照）。そのうえ、小形リレー３０のプラグ部３３に対応している小形ジャック板４０のジャック部４２と同じか互換性のあるものを移動用アダプタ５０のジャック部５１に採用するのが望ましいが（図９（ｂ）参照）、このジャック部５１と大形ジャック板２０のジャック部２２とは対応していない。そのため、それらの間には配線用の中間部材が設けられることになる（例えば特許文献２のフロントページ参照）。
【先行技術文献】
【特許文献】
【０００９】
【特許文献１】特開２０１１−２０７４４９号公報
【特許文献２】特開２０１７−０１０６６２号公報
【非特許文献】
【００１０】
【非特許文献１】鉄道技術者のための信号概論「軌道回路」  社団法人「日本鉄道電気技術協会」出版、平成１７年５月２０日  改訂版２刷発行、ｐ．６０  図６．１−２
【非特許文献２】鉄道技術者のための信号概論「信号装置・信号リレー」  社団法人「日本鉄道電気技術協会」出版、平成１８年５月１１日  改訂版発行、ｐ．９７図２−５、ｐ．１３１図２−４４
【発明の概要】
【発明が解決しようとする課題】
【００１１】
しかしながら、このような移動用アダプタ５０では、ジャック部５１がジャック部２２と対向しているため、両者を近づけて中間部材を薄くすると配線が窮屈・困難になる一方、両者を離して中間部材を厚くすると、大形ジャック板２０と移動用アダプタ５０と小形リレー３０とを合わせた全高が高くなる。
そして、その全高があまり高いと、リレー架の縦盤面に先に取り付けられた多数の大形リレー１０とその一部を後から置き換えた幾つかの小形リレー３０との並び状態に大きな凸凹が生じるため、凸部になった所が作業者の身体に接触したりして着脱作業の邪魔になったり、凹部になった所が着脱しづらくなったり、リレー装着状態の目視チェックの精度が低下したり、リレー架の扉が閉まらなかったり、といった不所望なことが顕在化・顕著化する。
【００１２】
これに対し、小形リレー３０と大形ジャック板２０のジャック部２２との重なりを回避することを優先した移動用アダプタ６０は（図１０参照）、大形ジャック板２０の基板部２１のリレー装着側に着脱可能な基板部６１と、大形リレー１０のプラグ部１２と同じか互換性のあるプラグ部６２と、小形リレー３０装着用の小形ジャック板４０と同じか互換性のある小形ジャック板６４と、両者６２，６４の対応する端子同士を接続する配線６３と、留め部材２４との干渉を回避するとともに配線６３の引き回し用の空間を確保しながら小形ジャック板６４を基板部６１に固定するために基板部６１と小形ジャック板６４とに介装された支柱６５と、留め部材２４を挿通させる中空が貫通形成された留め座部６７とを備えたものとなる。また、小形ジャック板４０相当の小形ジャック板６４には、留め部材４５相当のリレー留め部６６ａや、連結ネジ操作部４６相当の連結ネジ操作部６６が、具備されている。
【００１３】
この移動用アダプタ６０は、小形リレー３０が大形ジャック板２０の留め部材２４の正面側に来ることを許容することで、小形リレー３０装着用の小形ジャック板６４と，大形ジャック板２０のジャック部２２及びそれ対応のプラグ部６２との重なりを，回避したものであり、小形リレー３０に縦長の姿勢でなく横長の姿勢をとらせる（図１１参照）。
この構成であれば（図１０参照）、基板部６１と小形ジャック板６４との中間からプラグ部６２が外れるため、基板部６１と小形ジャック板６４との間に余裕ができるので、両者６１，６４を合わせた高さを低くしても、その低減量がプラグ部６２の厚み程度までなら、両者６１，６４の間を利用して楽に配線６３を引き回すことができる。
【００１４】
そして、移動用アダプタ６０を大形ジャック板２０に装着すると（図１１参照）、それに随伴して、移動用アダプタ６０のプラグ部６２と大形ジャック板２０のジャック部２２とが連結すると同時に、移動用アダプタ６０の小形ジャック板６４の各端子が配線６３を介して大形ジャック板２０のジャック部２２の各端子に接続され導通する。
そのため、既設の大形ジャック板２０に移動用アダプタ６０を装着しておけば、恰も、そこに小形ジャック板４０が既設されていたかのように、小形リレー３０を着脱することができる（図１１参照）。
【００１５】
とはいえ、この移動用アダプタ６０は、大形ジャック板２０のジャック部２２との対向位置から横（図１０，図１１の状態では下方）へ小形ジャック板６４をずらした代償として、単体での組み立て時には連結ネジ操作部６６の操作を正面からでなく横から基板部６１と小形ジャック板６４との合間を縫うようにして行わなければならない。
また、大形ジャック板２０に対する移動用アダプタ６０の着脱については、移動用アダプタ６０の留め座部６７を大形ジャック板２０に留め部材２４にネジ止めする留めネジ６８の操作を、単体であれば連結ネジ操作部６６と同様に行えるが、リレー架のような多数列設状況下では、プラグ部６２と小形ジャック板６４との間隙（図１１（ａ）＊を参照）から行わなければならないので、この着脱作業も遣り易いとはいえない。
【００１６】
そのため、この移動用アダプタ６０は、大形ジャック板２０に装着しておいてそこへ小形リレー３０を着脱する使用態様には向いているが、予め移動用アダプタ６０に小形リレー３０を装着しておいてそれを恰も大形リレー１０のように大形ジャック板２０に着脱する使用態様には向いていると言えない。また、配線６３の周りにそこを囲う保護カバーを予め付けておくのも難しい。さらに、単体に係る作業は道具や姿勢などを工夫することで比較的改善しやすいが、既設のリレー架の多数配設のジャック板に係る逐次更新は、軌道回路等の現場機器の更新タイミングに合わせて実行したり場合によっては戻したりしなければならないため、作業の迅速性が求められる一方で、作業手順等の改善は難しい。
【００１７】
このような謂わば常時一体型の移動用アダプタ５０，６０にあっては、縦装着型のものもあれば（５０）、横縦装着型のものもあるが（６０）、それらには一長一短があるので、双方の利点を兼ね備えた移動用アダプタの提供が要望される。
具体的には、大形ジャック板に対する移動用アダプタの装着作業を正面から行えることに加え、その装着状態では正面視で移動用アダプタの小形リレー装着部の位置が大形ジャック板のジャック部の位置から外れるようになっており、更に大形ジャック板に装着しておけば小形ジャック板の如くそれに小形リレーを着脱できるとともに小形リレーを装着しておけばそれを大形リレーの如く大形ジャック板に着脱できる移動用アダプタを実現することが技術的な課題となる。
【課題を解決するための手段】
【００１８】
本発明の移動用アダプタは（解決手段１）、このような課題を解決するために創案されたものであり、
小形リレーを装着しうる第１アダプタと、前記小形リレーより大きな大形リレーを装着しうる大形ジャック板に対して着脱しうる第２アダプタとを備え、前記第１アダプタを前記第２アダプタに着脱しうる移動用アダプタであって、
前記第１アダプタが、開口側を前記大形ジャック板に当接させると前記大形ジャック板のリレー装着側を囲う箱体と、前記箱体に内装されていて前記の当接に随伴して前記大形ジャック板のジャック部と連結するプラグ部と、前記箱体の非開口側のうち前記プラグ部の直近部位から外れた部位に貫装されて前記小形リレーの装着側を箱外に向けているジャック部と、このジャック部と前記プラグ部とに亘る配線部と、前記箱体を前記第２アダプタに固定するための留め部材とを具備したものであり、
前記第２アダプタが、前記大形ジャック板の前記留め部材に対して係合しうる第１留め座部と、前記第１アダプタの前記留め部材に対して係合しうる第２留め座部とを具備したものであり、
前記第２アダプタの前記第１留め座部と前記大形ジャック板の前記留め部材とを係合させてから前記箱体を開口側から前記大形ジャック板に当接させると前記第２アダプタが前記箱体の内部に収まるとともに前記第１アダプタの前記留め部材と前記第２アダプタの前記第２留め座部とが係合させうる状態で対向するようになっていることを特徴とする。
【００１９】
また、本発明の移動用アダプタは（解決手段２）、上記解決手段１の移動用アダプタであって、前記第２アダプタが、前記第１留め座部と前記第２留め座部との組を複数具備するとともに、それら全組に及ぶ連結部も具備していることを特徴とする。
【００２０】
さらに、本発明の移動用アダプタは（解決手段３）、上記解決手段１，２の移動用アダプタであって、前記第１アダプタの前記ジャック部が、前記小形リレーに対応した小形ジャック板であり、前記第１アダプタの前記プラグ部が、前記大形リレーのプラグ部と同じか互換性を持ったものであることを特徴とする。
【００２１】
また、本発明の移動用アダプタは（解決手段４）、上記解決手段１〜３の移動用アダプタであって、前記第１アダプタの前記箱体に把手が外装されていることを特徴とする。
【００２２】
また、本発明の移動用アダプタは（解決手段５）、上記解決手段１〜４の移動用アダプタであって、前記配線部が、硬い又は軟らかいプリント回路基板にて形成されたものであることを特徴とする。
【発明の効果】
【００２３】
このような本発明の移動用アダプタにあっては（解決手段１）、移動用アダプタが小形リレー側の第１アダプタと大形ジャック板側の第２アダプタとに分かれたことにより、装着の手段が多様化されて、都合の良い手法や手順を選択するときの幅が広がる。
そして、第２アダプタを介在させて第１アダプタを大形ジャック板に装着すると、配線部やプラグ部といった第１アダプタの内蔵物に加えて、第２アダプタまでも、第１アダプタの箱体の中に収まる。
【００２４】
しかも、その際に行う作業は、第２アダプタを大形ジャック板に固定させる留めネジの操作も、第１アダプタを第２アダプタに固定させる留め部材の操作も、横からに限定されず正面から楽に行うことができる。
さらに、そのように大形ジャック板と第２アダプタと第１アダプタとを組み上げたものの頭部には、ジャック部の小形リレー装着側が現れているので、恰も小形ジャック板に着脱するかのように小形リレーを着脱することができる。
【００２５】
一方、大形ジャック板に第２アダプタを装着しておくとともに、第１アダプタに小形リレーを装着しておいて、小形リレー付きの第１アダプタを第２アダプタ付きの大形ジャック板に着脱させるときには、第１アダプタの留め部材を正面から操作することでそれが対向する第２アダプタの第２留め座部と係合するので、こちらの着脱作業も恰も大形ジャック板に大形リレーを着脱するかのように楽に行うことができる。
また、第１アダプタにおいて大形ジャック板のジャック部に対応しているプラグ部と、第１アダプタにおいて小形リレー装着部に相当するジャック部とに関して、第１アダプタの箱体の非開口側における射影位置や貫通位置が重ならないようにずれているので、第１アダプタの高さ延いては移動用アダプタの全高を適度に抑えることも容易にできる。
【００２６】
したがって、この発明によれば、大形ジャック板に対する移動用アダプタの装着作業を正面から行えることに加え、その装着状態では正面視で移動用アダプタの小形リレー装着部の位置が大形ジャック板のジャック部の位置から外れるようになっており、更に大形ジャック板に装着しておけば小形ジャック板の如くそれに小形リレーを着脱できるとともに小形リレーを装着しておけばそれを大形リレーの如く大形ジャック板に着脱できる移動用アダプタを実現することができて、上述の技術課題が解決される。
【００２７】
また、本発明の移動用アダプタにあっては（解決手段２）、第２アダプタにおける第１，第２留め座部の組を複数化したことにより大形ジャック板と第２アダプタと第１アダプタとの連結状態が堅固になり安定する。しかも、第１，第２留め座部が増えてもそれら総てが連結部によって一体的に纏められているので、取り扱い等は容易なままである。
【００２８】
さらに、本発明の移動用アダプタにあっては（解決手段３）、第１アダプタのうちジャックやプラグといった要部には既設品と同じ物か互換品を採用したことにより、既設品の使用実績に基づく動作安定性や信頼性などを直ちに而も低コストで引き継ぐことができる。
【００２９】
また、本発明の移動用アダプタにあっては（解決手段４）、第１アダプタの箱体に把手を外装したことにより、第１アダプタに小形リレーを装着したものを恰も既設の大形リレーのように手で持つことができる。
【００３０】
また、本発明の移動用アダプタにあっては（解決手段５）、配線部にプリント回路基板を採用したことによって多数の端子の接続が的確になされるとともに接続作業が容易かつ迅速なものとなる。
そして、硬いプリント回路基板を用いれば配線部が安価になるうえ取り扱い易くなる一方、軟らかいプリント回路基板を用いれば第１アダプタにおいてプラグ部の端子とジャック部の端子とを位置合わせ（高さ合わせ）する必要が無くなるので移動用アダプタの全高を低くするのが更に容易になる。
【図面の簡単な説明】
【００３１】
【図１】本発明の実施例１について、移動用アダプタの構造を示し、（ａ）が小形リレーと移動用アダプタと大形ジャック板との展開斜視図、（ｂ）が第１アダプタの縦断右側面図である。
【図２】（ａ）が第１アダプタの縦断右側面拡大図、（ｂ）が第２アダプタの拡大斜視図である。
【図３】（ａ）が第１アダプタに小形リレーを装着した適合形リレーの斜視図、（ｂ）が大形ジャック板に第２アダプタを装着するところの右側面図、（ｃ）が大形ジャック板に第２アダプタを装着し終えた適合形ジャック板の右側面図である。
【図４】（ａ）が適合形ジャック板に適合形リレーを装着するところの右側面図、（ｂ）が適合形ジャック板に適合形リレーを装着し終えたところの右側面図である。
【図５】大形リレーの構造を示し、（ａ）が右側面図、（ｂ）が正面図、（ｃ）が背面図である。
【図６】大形ジャック板の構造を示し、（ａ）が右側面図、（ｂ）が正面図、（ｃ）がリレー架の要部の正面図である。
【図７】小形リレーの構造を示し、（ａ）が右側面図、（ｂ）が正面図、（ｃ）が背面図である。
【図８】小形ジャック板の構造を示し、（ａ）が右側面図、（ｂ）が正面図、（ｃ）が背面図である。
【図９】大形ジャック板に小形リレーを縦向きで装着する構成を示し、（ａ）が小形リレー装着イメージの正面図、（ｂ）が移動用アダプタ装着状態の正面図、（ｃ）が小形リレー装着状態の正面図である。
【図１０】大形ジャック板に小形リレーを横向きで装着できるようにする移動用アダプタの構成を示し、（ａ）が右側面図、（ｂ）が正面図、（ｃ）が下面図である。
【図１１】（ａ）が大形ジャック板に装着した移動用アダプタの右側面図、（ｂ）が更に小形リレーを装着した移動用アダプタの右側面図である。
【発明を実施するための形態】
【００３２】
このような本発明の移動用アダプタについて、これを実施するための具体的な形態を、以下の実施例１により説明する。
図１〜図４に示した実施例１は、上述した解決手段１〜５（出願当初の請求項１〜５）を総て具現化したものである。
なお、それらの図示に際し従来と同様の構成要素には同一の符号を付して示したので、また、それらについて背景技術の欄で述べたことは以下の各実施例についても共通するので、重複する再度の説明は割愛し、以下、従来との相違点を中心に説明する。
【実施例１】
【００３３】
本発明の移動用アダプタ７０８０の実施例１について、その具体的な構成を、図面を引用して説明する。
【００３４】
図１（ａ）は、小形リレー３０と第１アダプタ７０と第２アダプタ８０と大形ジャック板２０とに係る展開斜視図であり、図１（ｂ）は、第１アダプタ７０の縦断面に係る右側面図である。
図２（ａ）は、第１アダプタ７０の縦断右側面の拡大図であり、図２（ｂ）は、第２アダプタ８０の拡大斜視図である。
【００３５】
図３は、（ａ）が第１アダプタ７０に小形リレー３０を装着した謂わば適合形リレー７０３０の斜視図、（ｂ）が大形ジャック板２０に第２アダプタ８０を装着するところの右側面図、（ｃ）が大形ジャック板２０に第２アダプタ８０を装着し終えた謂わば適合形ジャック板８０２０の右側面図である。
図４は、（ａ）が適合形ジャック板８０２０に適合形リレー７０３０を装着するところの右側面図、（ｂ）が適合形ジャック板８０２０に適合形リレー７０３０を装着し終えたところの右側面図である。
【００３６】
移動用アダプタ７０８０は（図１（ａ）参照）、例えば旧ＪＲＳ規格Ｃ形ジャック板である既述の大形ジャック板２０と、例えば旧ＪＲＳ規格Ａ形リレーである既述の小形リレー３０との間に入れることにより、大形ジャック板２０に対して本来は適合していない小形リレー３０を恰も適合しているかの如く着脱できるように仲介するものである点で、既述した移動用アダプタ６０と同じであるが、第１アダプタ７０と第２アダプタ８０とに分けて使用に供されるものとなっている点で移動用アダプタ６０と相違する。
【００３７】
第１アダプタ７０は（図１，図２（ａ），図３（ａ）参照）、箱体７１と留め部材７２とプラグ部７３と配線部７４とジャック部７５と把手７６とを具備したものである。
箱体７１は、浅い升状のものであり、詳述すると概ね正方形状の正面板体と四角形状の短管とを連結したかのようなものであり、正面板体の後方の非連結側は開口になっている。この開口の縁が大形ジャック板２０の基板部２１の周縁形状に適合するように形成されているので、その開口側を大形ジャック板２０に当接させると、大形ジャック板２０のリレー装着側が箱体７１によって囲われるようになっている。その当接作業や持ち運びが遣りやすいように、第１アダプタ７０の正面板体には把手７６が外装されている。
【００３８】
プラグ部７３は、大形リレー１０のプラグ部１２と同じか互換性を持った多端子のプラグであり、箱体７１の内部に適宜な支持板等にて保持されて、大形ジャック板２０におけるジャック部２２の配置に対応した箇所に位置している。
そのため、箱体７１を開口側から大形ジャック板２０に当接させると、それに随伴して第１アダプタ７０のプラグ部７３が大形ジャック板２０のジャック部２２と連結するようになっている。
【００３９】
ジャック部７５は、小形ジャック板４０のジャック部４２と同じものであり、小形リレー３０のプラグ部３３に対応している。しかも、ここでは、箱体７１の該当部位を貫く状態で小形ジャック板４０が装着されたのに随伴して箱体７１に装着されたものとなっている。箱体７１におけるジャック部７５の位置は、正面視で、箱体７１の正面板体の下半分に収められていて、大形ジャック板２０への装着時にジャック部２２と正面視で重ならないようになっている。
配線部７４は、硬いプリント回路基板にて形成されてジャック部７５とプラグ部７３とに亘っており、プリント配線によって両者７５，７３の対応端子同士を接続している。
【００４０】
留め部材７２は、箱体７１を第２アダプタ８０に対してネジ止めにて固定するためのものであり、操作用の頭部が箱体７１の正面板体から外に突き出ているが、先端の雄ネジ部７２ａを含む大部分が箱体７１の中に収まっている。第１アダプタ７０のプラグ部７３ひいては大形ジャック板２０のジャック部２２と、第１アダプタ７０のジャック部７５ひいては小形リレー３０のプラグ部３３との何れとも、留め部材７２が干渉しないように、更には留め部材７２の頭部を正面から操作しやすいように、留め部材７２は両部材７３，７５の中間域に配置されている。
【００４１】
第２アダプタ８０は（図１（ａ），図２（ｂ），図３（ｂ），（ｃ）参照）、一対（一組）の第１留め座部８１と、同じく一対（一組）の第２留め座部８４と、それら全て８２，８２，８４，８４に及んでいて相対位置を固定している連結部８２とを具備したものであり、第１留め座部８１の先端に留めネジ８３が付設されるようになっている。
第１留め座部８１は、中空の筒体であり、その中空に大形ジャック板２０の留め部材２４を挿通しうるようになっている。第１留め座部８１は、大形ジャック板２０の留め部材２４が一対であることに対応して一対が設けられており、それら８１，８１の相対位置が連結部８２によって留め部材２４，２４の相対位置と同じに維持されている。
【００４２】
そして、第２アダプタ８０の一対の第１留め座部８１，８１に大形ジャック板２０の一対の留め部材２４，２４の先端を挿して（図３（ｂ）参照）、更に十分に挿入し、それから留め部材２４の先端に留めネジ８３を螺着させると（図３（ｃ）参照）、留めネジ８３によって第１留め座部８１が留め部材２４に固定され、ひいては第２アダプタ８０が大形ジャック板２０に固定され、更には第２留め座部８４が第１留め座部８１及び留め部材２４から少し離れた位置で大形ジャック板２０に位置固定されるようになっている。
【００４３】
しかも、そのような固定によって、第２留め座部８４の位置が、大形ジャック板２０においては留め部材２４とリレー装着側２３との中間になり、大形ジャック板２０に装着されたときの第１アダプタ７０に関しては留め部材７２の雄ネジ部７２ａの位置に来るようになっている（図４参照）。そのため、第２アダプタ８０を装着した大形ジャック板２０に対し、第１アダプタ７０の箱体７１を開口側から当接させると、上述したように大形ジャック板２０のリレー装着側が箱体７１によって囲われて第２アダプタ８０の総てが第１アダプタ７０の箱体７１の内部に収まるとともに、第１アダプタ７０の留め部材７２と第２アダプタ８０の第２留め座部８４とが係合させうる状態で対向する。
【００４４】
この実施例１の移動用アダプタ７０８０について、その使用態様及び動作を、上述した図面を引用して説明する。
【００４５】
移動用アダプタ７０８０は、第１アダプタ７０と第２アダプタ８０とに分けて構成されているうえ（図１（ａ）参照）、第２アダプタ８０を大形ジャック板２０に装着することも、第２アダプタ８０に第１アダプタ７０を装着することも、第１アダプタ７０に小形リレー３０を装着することも、任意の順序で行うことができる。しかも、大形ジャック板２０に対する第２アダプタ８０の装着は留め部材２４に第１留め座部８１を嵌装して留めネジ８３を留め部材２４に着けることで行え（図３（ｂ），（ｃ）参照）、第２アダプタ８０に対する第１アダプタ７０の装着は第２留め座部８４に留め部材７２の雄ネジ部７２ａを螺合させることで行え（図４（ｂ）参照）、第１アダプタ７０に対する小形リレー３０の装着は従来通りリレー留め部３４に留め部材６６ａ（４５）を螺合させることで行われるが従来と異なり両者７０，３０とも自由な姿勢をとることが許される状況下で作業できることから連結ネジ操作部６６（４６）を正面にして螺合作業を行えるので、着脱作業に必要な部材操作を総て正面から楽に行うことができる。
【００４６】
そのため（図１（ａ）参照）、大形ジャック板２０に移動用アダプタ７０８０を装着しておくと、具体的には先ず大形ジャック板２０に対して第２アダプタ８０を装着し次ぎにその第２アダプタ８０に対して第１アダプタ７０を装着しておくと、大形ジャック板２０のリレー装着側が小形リレー３０に適合するので、大形リレー１０装着用だった大形ジャック板２０が小形リレー３０装着用の謂わば適合形ジャック板７０８０２０に転換される。そして、それに対しては、恰も小形ジャック板４０に対するのと同様に、小形リレー３０を着脱することができる。しかも、その装着状態では、新たな小形リレー３０と周囲に既設の大形リレー１０との高低差が小さいので、リレー架では凹凸が目立たない。
【００４７】
また、第１アダプタ７０に対して小形リレー３０を装着して謂わば適合形リレー７０３０にしておくとともに（図３（ａ）参照）、大形ジャック板２０に対して第２アダプタ８０を装着して謂わば適合形ジャック板８０２０にしておくと（図３（ｃ）参照）、それらが７０３０，８０２０が互いに適合するものとなる。そして、適合形リレー７０３０を大形リレー１０のように取り扱うことで（図４参照）、大形リレー１０を大形ジャック板２０に着脱していたときとほぼ同様に、適合形リレー７０３０を適合形ジャック板８０２０に着脱することができる。
【００４８】
［その他］
上記実施例では配線部７４が硬いプリント回路基板を用いて作られていたが、配線部７４は、軟らかいプリント回路基板を用いて作っても良い。
上記実施例では、第１アダプタ７０に小形ジャック板４０そのものを搭載していたが、これは必須でなく、小形リレー３０を適切に着脱できれば足りるので、第１アダプタ７０のジャック部７５が小形リレー３０のプラグ部３３に対応していれば良く、ジャック部７５は、小形ジャック板４０のジャック部４２と同じか、それと互換性を持った多端子のジャック部であっても良い。また、小形リレー３０についても、純粋なメカニカルリレーに限定される訳でなく、電子回路とメカニカルリレーとを組み合わせたものや電子回路と半導体スイッチとを組み合わせたもの等でも良い（例えば特開１９９２−１５４４７５号公報，特開１９９２−１５４４７５号公報を参照）。
【産業上の利用可能性】
【００４９】
本発明の移動用アダプタは、鉄道の軌道回路に用いられていた交流軌道リレー装着用の旧ＪＲＳ規格Ｃ形ジャック板を、旧ＪＲＳ規格の信号制御用Ａ形線条リレーを着脱できるものに転換させて、使い続けるために創案されたものであるが、それに適用が限定される訳でなく、鉄道設備において同様の関係にあれば他のジャック板やリレーにも適用することができる。
【符号の説明】
【００５０】
１０…大形リレー（軌道リレー）、１１…箱体、１２…プラグ部、
１３…留め部材、１３ａ…雄ネジ部、１４…貫通孔、１５…把手、
２０…大形ジャック板（Ｃ形ジャック板）、２１…基板部、
２２…ジャック部、２３…リレー装着側、２４…留め部材（雌ねじ部）、
３０…小形リレー（線条リレー，信号リレー）、
３１…箱体、３２…カバー留め部材、３２ａ…ネジ部、
３３…プラグ部、３４…リレー留め部（雌ねじ）、３５…位置決め孔、
４０…小形ジャック板（Ａ形ジャック板）、
４１…基板部、４２…ジャック部、４３…リレー装着側、
４４…位置決めピン、４５…留め部材（雄ねじ）、４６…連結ネジ操作部４６、
５０…移動用アダプタ、５１…ジャック部、５２…留め部材、
６０…移動用アダプタ、６１…基板部、
６２…プラグ部、６３…配線、６４…小形ジャック板（小形リレー装着部）、
６５…支柱、６６…連結ネジ操作部、６６ａ…リレー留め部（雄ねじ）、
６７…留め座部、６８…留めネジ（雄ねじ留め部材）、
７０８０…移動用アダプタ、
７０…第１アダプタ、
７１…箱体、７２…留め部材（雄ねじ留め部材）、
７２ａ…雄ネジ部、７３…プラグ部、７４…配線部、
７５…ジャック部（小形リレー装着部）、７６…把手、
７０３０…適合形リレー、
８０…第２アダプタ、
８１…第１留め座部、８２…連結部、
８３…留めネジ（雄ねじ留め部材）、８４…第２留め座部（雌ねじ留め部材）、
８０２０…適合形ジャック板、７０８０２０…適合形ジャック板
【図１】
2020030896.tif 000003
【図２】
2020030896.tif 000004
【図３】
2020030896.tif 000005
【図４】
2020030896.tif 000006
【図５】
2020030896.tif 000007
【図６】
2020030896.tif 000008
【図７】
2020030896.tif 000009
【図８】
2020030896.tif 000010
【図９】
2020030896.tif 000011
【図１０】
2020030896.tif 000012
【図１１】
2020030896.tif 000013